(57)【要約】【課題】左右どの方向に回転しても取付穴に取り付けできる照明ユニットを提供する。【解決手段】回転取付部５３は、閉塞プレート部５１の上面５１ａより突出する挿入突部５４と、挿入突部５４の外周面に沿って設けられた周縁壁部５５と、周縁壁部５５の周方向の両端に設けられた一対の係止爪部５６とを有し、挿入突部５４と周縁壁部５５が取付穴に挿入され、挿入された位置から回転された位置で取付穴の周縁の挟持部を周縁壁部５５と突き当て面５１ａとの間に配置し、且つ、一対の係止爪部５６の間に挟み込むことで回転取付部５３が取付穴に取り付けされる。【選択図】図５
2018167658.tif 000002
【特許請求の範囲】
【請求項１】
光源と前記光源から外部間の回路を構成する回路体とを収容するハウジングと、
前記ハウジングに取り付けされ、照明取付部材の取付穴に取り付けされる回転取付部とを備え、
前記回転取付部は、前記照明取付部材への突き当て面より突出する挿入突部と、前記挿入突部の外周面に沿って設けられた周縁壁部と、前記周縁壁部の周方向の両端に設けられ、前記突き当て面に向かって突出する一対の係止爪部とを有し、
前記挿入突部と前記周縁壁部が前記取付穴に挿入され、挿入された位置から回転された位置で前記取付穴の周縁の挟持部を前記周縁壁部と前記突き当て面との間に配置し、且つ、一対の係止爪部の間に挟み込むことで前記回転取付部が前記取付穴に取り付けされることを特徴とする照明ユニット。
【請求項２】
請求項１記載の照明ユニットであって、
前記突き当て面には、前記取付穴の前記挟持部が載る突部が設けられていることを特徴とする照明ユニット。
【発明の詳細な説明】
【技術分野】
【０００１】
本発明は、車両の室内等に使用される照明ユニットに関する。
【背景技術】
【０００２】
例えば、車両には、種々の場所（ドアカーテシー照明、足元照明、マップ照明、充電口照明等）に照明ユニットが設置される。そして、照明ユニットの取付構造にも種々の構造がある。例えば、発光面となるカバーが外部より目立たない位置に配置される照明ユニットでは、照明取付部材である車体パネルに取付穴を開口し、この取付穴に取付ける構造のものがある（特許文献１参照）。
【０００３】
特許文献１に開示された照明ユニットは、光源等を部品収容室に収容したハウジングと、部品収容室の開口を塞ぐようにしてハウジングに装着されたカバーとを有する。このカバーには、照明取付部材の取付穴に取付けできる回転取付部が設けられている。回転取付部は、照明取付部材への突き当て面から突出した突部と、突部の外周面に設けられた周縁壁部と、周縁壁部の一端に設けられた係止爪部とを有し、取付穴を中心として回転取付部を回転させることで弾性爪部が取付穴に係止される。
【先行技術文献】
【特許文献】
【０００４】
【特許文献１】特開２００１−２４３８２９号公報照明ユニットに関する。
【発明の概要】
【発明が解決しようとする課題】
【０００５】
しかしながら、前記従来の照明ユニットでは、所定の一方向（例えば右方向）の回転でしか回転取付部を取付穴に取り付けできず、取付作業性が悪い場合がある。例えば、車体の左右ドアに対し、左右同じ取付位置で照明ユニットを取付けする場合に、右ドアでは右回転（左回転）で、左ドアでは左回転（右回転）で取付けできれば取付作業性が良い。しかし、従来の照明ユニットでは、一方向回転でした取付けできないため、取付作業性が悪い。
【０００６】
そこで、本発明は、前記した課題を解決すべくなされたものであり、左右どの方向に回転しても取付穴に取り付けできる照明ユニットを提供することを目的とする。
【課題を解決するための手段】
【０００７】
本発明は、光源と前記光源から外部間の回路を構成する回路体とを収容するハウジングと、前記ハウジングに取り付けされ、照明取付部材の取付穴に取り付けされる回転取付部とを備え、前記回転取付部は、前記照明取付部材への突き当て面より突出する挿入突部と、前記挿入突部の外周面に沿って設けられた周縁壁部と、前記周縁壁部の周方向の両端に設けられ、前記突き当て面に向かって突出する一対の係止爪部とを有し、前記挿入突部と前記周縁壁部が前記取付穴に挿入され、挿入された位置から回転された位置で前記取付穴の周縁の挟持部を前記周縁壁部と前記突き当て面との間に配置し、且つ、一対の係止爪部の間に挟み込むことで前記回転取付部が前記取付穴に取り付けされることを特徴とする照明ユニットである。
【発明の効果】
【０００８】
本発明によれば、周縁壁部の両端に係止爪部がそれぞれ設けられているため、回転取付部をどの方向に回転しても取付穴の周縁の挟持部を周縁壁部と突き当て面との間に入り込ませ、且つ、取付穴の周縁の挟持部を一対の係止爪部の間で挟み込むことができる。
【図面の簡単な説明】
【０００９】
【図１】本発明の一実施形態を示し、照明ユニットの分解斜視図である。
【図２】本発明の一実施形態を示し、照明ユニットの全体斜視図である。
【図３】本発明の一実施形態を示し、（ａ）は図２のＡ−Ａ線断面図、（ｂ）は図２のＢ−Ｂ線断面図である。
【図４】本発明の一実施形態を示し、ハウジングの斜視図である。
【図５】本発明の一実施形態を示し、カバーの斜視図である。
【図６】本発明の一実施形態を示し、（ａ）は回転取付部の平面図、（ｂ）は回転取付部の側面図である。
【図７】本発明の一実施形態を示し、照明ユニットの組付け過程で、バスバーをバスバーガイドレール上に載置した状態を示す斜視図である。
【図８】本発明の一実施形態を示し、照明ユニットの組付け過程で、回路基板が挿入完了位置に位置する状態を示す斜視図である。
【図９】本発明の一実施形態を示し、照明ユニットの組付け過程で、カバーの装着前を示す斜視図である。
【図１０】本発明の一実施形態を示し、照明取付部材の取付穴周辺の正面図である。
【図１１】本発明の一実施形態を示し、（ａ）は回転取付部を取付穴に挿入した状態を示す裏面図、（ｂ）は（ａ）のＤ１−Ｄ１線断面図である。
【図１２】本発明の一実施形態を示し、（ａ）は回転取付部（照明ユニット）を反時計方向Ｒ１に９０度回転し、回転取付部が取付穴に取付けられた状態を示す裏面図、（ｂ）は（ａ）のＤ２−Ｄ２線断面図である。
【図１３】本発明の一実施形態を示し、（ａ）は回転取付部（照明ユニット）を時計方向Ｒ２に９０度回転し、回転取付部が取付穴に取付けられた状態を示す裏面図、（ｂ）は（ａ）のＤ３−Ｄ３線断面図である。
【図１４】本発明の一実施形態を示し、（ａ）はキャップをハウジングに装着する前を示す斜視図、（ｂ）はキャップを装着した照明ユニットの斜視図である。
【発明を実施するための形態】
【００１０】
以下、本発明の実施形態を図面に基づいて説明する。
【００１１】
図１〜図３に示すように、照明ユニット１は、光源である発光ダイオード２と、発光ダイオード２と外部間の回路を構成する回路体である回路基板３及び一対のバスバー３０と、発光ダイオード（ＬＥＤ）２、回路基板３及び一対のバスバー３０を収容するハウジング２０と、このハウジング２０に装着されるカバー５０と、ハウジング２０内に収容されるインナー部材６０とを備えている。以下、各部品の詳細な構成を説明する。
【００１２】
ハウジング１０は、光を透過させない部材より形成されている。ハウジング１０は、図４に詳しく示すように、概略外形が直方体である。ハウジング１０は、部品収容室１１とコネクタ嵌合室１２（図３（ｂ）に示す）を有する。部品収容室１１とコネクタ嵌合室１２の間には、仕切壁１３が設けられている。部品収容室１１は、底壁１４と一対の立設壁である側壁１５と仕切壁１３に囲まれており、上面と前面が開口されている。この開口箇所をカバー５０が覆う。部品収容室１１には、発光ダイオード２と、発光ダイオード２が搭載された回路基板３と、バスバー３０とが収容される。
【００１３】
部品収容室１１の底壁１４には、周囲の底面より一段下がった段差によって一対のバスバーガイドレール１６が形成されている。
【００１４】
部品収容室１１の一対の側壁１５の内面には、一対のロック用突起２０が２箇所に設けられている。各ロック用突起２０は、側壁１５の内面側を切り欠くことで形成されている。つまり、各ロック用突起２０の上面は、他の側壁１５の内面と同じ高さである。
【００１５】
仕切壁１３には、その左右位置に一対の端子貫通孔（図示せず）が設けられている。各端子貫通孔は、部品収容室１１とコネクタ嵌合室１２の間を貫通している。
【００１６】
ハウジング１０の一対の側壁１５には、部品収容室１１の外面側に一対のキャップ用ロック突起２９が設けられている。
【００１７】
各バスバー３０は、所定形状の導電性金属板を折曲することで形成されている。各バスバー３０は、回路基板３に電気的に接続する部位である基板接点部３１と、ハウジング１０に導かれた外部配線（図示せず）に電気的に接続する部位であるタブ端子３２とを有する。基板接点部３１は、ハウジング１０内の収容位置では、部品収容室１１に配置されている。タブ端子３２は、ハウジング１０内の収容位置では、コネクタ嵌合室１２に配置されている。
【００１８】
発光ダイオード２は、回路基板３上に搭載されている。回路基板３には、発光ダイオード２と共に他の電子部品が搭載され、且つ、回路パターンが設けられ、発光ダイオード２の駆動回路が構成されている。部品収容室１１の収容位置では、バスバー３０の基板接点部３１と回路基板３間が電気的に接続される。
【００１９】
カバー５０は、光を通過させない部材より形成されている。カバー５０は、図５に詳しく示すように、ハウジング１０の部品収容室１１の上面開口と前面開口に隙間なく入り込むＬ字状の閉塞プレート部５１を有する。
【００２０】
閉塞プレート部５１の両側面には、一対のロック爪５２が２箇所に設けられている。各ロック爪５２は、閉塞プレート部５１の側面より外側に突出している。
【００２１】
閉塞プレート部５１の上面には、回転取付部５３が設けられている。回転取付部５３は、図５及び図６に詳しく示すように、下記する照明取付部材１００への突き当て面である閉塞プレート部５１の上面５１ａより突出する挿入突部５４と、挿入突部５４の外周面に沿って設けられた一対の周縁壁部５５と、各周縁壁部５５の周方向の両端に設けられた一対の係止爪部５６と、閉塞プレート部５１の上面５１ａに設けられた突部５７とを有する。
【００２２】
挿入突部５４は、円筒形状であり、その内部が開口（空間）に形成されている。光源２からの光は、挿入突部５４内の開口からのみ外部に照射される。一対の周縁壁部５５は、挿入突部５４の１８０度対向位置に配置されている。
【００２３】
各係止爪部５６は、閉塞プレート部５１の上面５１ａ側に突出している。各係止爪部５６は、外部側の面がテーパ面５６ａ（図６（ｂ）、図１１（ｂ）等に示す）に、内部側の面が垂直面５６ｂ（図６（ｂ）、図１１（ｂ）等に示す）に、テーパ面５６ａと垂直面５６ｂの間の面が水平面５６ｃ（図６（ｂ）、図１１（ｂ）等に示す）にそれぞれ形成されている。一対の係止爪部５６の水平面５６ｃ間の寸法は、下記する照明取付部材１００の小径部１０１ａが隙間なく挟み込む寸法に設定されている。
【００２４】
突部５７は、一対の係止爪部５６の間の位置で、各周縁壁部５５の下方位置に配置されている。突部５７は、周方向の両端側がテーパ面に形成されている。
【００２５】
インナー部材６０は、光を透過させる部材より形成されている。インナー部材６０は、ハウジング１０の部品収容室１１の上面開口にほぼ隙間なく入り込むサイズに形成されている。インナー部材６０には、部品収容室１１に収容された状態で、発光ダイオード２の真上となる位置に周囲より一段高い円形部６１が設けられている。円形部６１は、閉塞プレート部５１の挿入突部５４内の開口（空間）を塞いでいる。
【００２６】
次に、照明ユニット１の組み付け手順を説明する。
【００２７】
先ず、図７に示すように、ハウジング１０の側面開口よりバスバー３０を部品収容室１１に挿入し、バスバー３０の基板接点部３１を部品収容室１１に、バスバー３０のタブ端子３２をコネクタ嵌合室１２に配置する。
【００２８】
次に、図８に示すように、ハウジング１０の側面開口より回路基板３をハウジング１０の部品収容室１１に挿入して配置する。これで、バスバー３０の基板接点部３１と回路基板３間が電気的に接続される。
【００２９】
次に、図９に示すように、ハウジング１０の部品収容室１１の上面開口より、インナー部材６０を部品収容室１１に挿入する。
【００３０】
次に、図９に示すように、ハウジング１０の部品収容室１１の上方よりカバー５０を挿入する。すると、カバー５０の各ロック爪５２が弾性変形でハウジング１０の各ロック用突起２０に係止される。これで、照明ユニット１の組み付けが完了する。
【００３１】
次に、カバー５０を装着した照明ユニット１を照明取付部材１００の取付穴１０１に取付ける手順を説明する。図１０に示すように、照明取付部材（例えば車体パネルのトリム）１００の取付穴１０１は、小径部１０１ａと大径部１０１ｂが組み合わされ、小径部１０１ａの外縁側が挟持部１０１ｃとされた変則円形の穴である。
【００３２】
先ず、一対の周縁壁部５５を大径部１０１ｂの位置に合わせ、取付穴１０１に挿入突部５４を挿入する。図１１（ａ）、（ｂ）に示すように、周縁壁部５５が照明取付部材１００の反対面側に突き出る位置まで挿入する。尚、図１１（ａ）は、照明取付部材１００の反対面側から見た図である。
【００３３】
次に、回転取付部５３を図１１（ａ）、（ｂ）の反時計方向Ｒ１に回転すると、その挿入突部５４を中心に回転する。すると、回転方向の前方側の係止爪部５６が挟持部１０１ｃに干渉し、この状態より更に回転すると、係止爪部５６がその撓み弾性変形等によって挟持部１０１ｃに載り、回転取付部５３の回転が許容される。一対の係止爪部５６の間に挟持部１０１ｃが入り込む位置まで回転する。すると、図１２（ａ）、（ｂ）に示すように、回転方向の前方側の係止爪部５６がその弾性復帰変形し、閉塞プレート部５１の上面５１ａと周縁壁部５５の間に挟持部１０１ｃが配置され、且つ、一対の係止爪部５６が挟持部１０１ｃの両端面間を挟み込む。これで、照明ユニット１が照明取付部材１００の取付穴１０１に取り付けされ、照明ユニット１の設置が完了する。
【００３４】
また、回転取付部５３を図１１（ａ）の時計方向Ｒ２に回転すると、上記と同様の動作によって、図１３（ａ）、（ｂ）の位置で組付けされる。このように、回転取付部５３の回転方向はどちらでも取り付け可能であり、回転方向によって照明ユニット１の組付け向きが１８０度異なる。
【００３５】
以上、照明ユニット１は、回転取付部５３を有し、照明取付部材１００への突き当て面である閉塞プレート部５１の上面５１ａより突出する挿入突部５４と、挿入突部５４の外周面に沿って設けられた周縁壁部５５と、周縁壁部５５の周方向の両端に設けられ、閉塞プレート部５１の上面５１ａに向かって突出する一対の係止爪部５６とを有し、挿入突部５４及び周縁壁部５４が取付穴１０１に挿入され、挿入された位置から回転された位置で取付穴１０１の周縁の挟持部１０１ｃを周縁壁部５５と閉塞プレート部５５の上面５１ａとの間に配置し、且つ、一対の係止爪部５６の間に挟み込むことで回転取付部５３が取付穴１０１に取り付けされる。
【００３６】
周縁壁部５５の両端に係止爪部５６がそれぞれ設けられているため、回転取付部５３をどの方向に回転しても取付穴１０１の周縁の挟持部１０１ｃを周縁壁部５４と閉塞プレート部５１の上面５１ａとの間に入り込ませ、且つ、取付穴１０１の周縁の挟持部１０１ｃを一対の係止爪部５６の間で挟み込むことができ、この位置で固定することができる。つまり、回転取付部５３は、左右どの方向の回転でも取り付けできる。
【００３７】
左右対称位置に照明取付部材１００が配置され、左右の取付穴１０１に左右同じ向きで照明ユニット１を取付ける場合に、互いに逆回転方向で照明ユニット１を取付けでき、取付け作業性が良い。例えば、車体の左右ドアに対し、左右同じ取付位置で照明ユニット１を取付けする場合に、右ドアでは右回転（左回転）で、左ドアでは左回転（右回転）で取付けできる。
【００３８】
閉塞プレート部５１の上面５１ａには、取付穴１０１の周縁の挟持部１０１ｃが載る突部５７が設けられている。従って、取付穴１０１の周縁の挟持部１０１ｃが周縁壁部５５側、つまり、係止爪部５６に対して深い係止位置になるため、突部５７を設けない場合に較べて、回転取付部５３の係止力が強化される。
【００３９】
突部５７は、その両端側がテーパ面に形成されているため、取付穴１０１の周縁の挟持部１０１ｃが左右どの方向から進入してもスムーズに突部５７上に載ることができ、取付作業性に良い。
【００４０】
図１４に示すように、キャップ７０は、光を透過させる部材より形成されている。キャップ７０は、キャップ本体７１と、このキャップ本体７１の両側縁より折曲部を介して延設された一対の弾性係止アーム部７２とを備えている。
【００４１】
キャップ本体７１には、回転取付部７３が設けられている。回転取付部７３は、前記実施形態の回転取付部５３と同様な構成である。
【００４２】
つまり、回転取付部７３は、照明取付部材１００への突き当て面である上面７１ａより突出された挿入突部７４と、この挿入突部７４の外周面に沿って設けられた一対の周縁壁部７５と、各周縁壁部７５の周方向の両端に設けられた一対の係止爪部７６と、キャップ本体７１の上面５１ａに設けられた突部７７とを有する。
【００４３】
挿入突部７４は、円盤形状であり、光の拡散面を形成している。光源２からの光は、挿入突部５４内の開口より挿入突部７４に入射し、挿入突部７４で拡散されて外部に照射される。キャップ本体７１の底面側には、嵌合凹部（符号を付さず）が形成されている。円形の嵌合凹部は、カバー５０の回転取付部５３が入り込む寸法に形成されている。
【００４４】
一対の弾性係止アーム７２には、ロック孔７２ａがそれぞれ形成されている。
【００４５】
一対の弾性係止アーム部７２をその弾性変形を利用してハウジング１０の上方から左右の側壁１５の外側に押し込み、キャップ７０の一対のロック孔７２ａにハウジング１０の一対のキャップ用ロック突起２９がロックされる。これで、図１４（ｂ）に示すように、キャップ７０が装着された照明ユニット１に組み付けされる。
【００４６】
キャップ７０を装着した照明ユニット１は、挿入突部７４が面発光する発光形態の照明ユニット１となる。つまり、キャップ７０を装着することにより、発光形態の異なる照明ユニット１になる。
【００４７】
キャップ７０を装着した照明ユニット１は、キャップ７０の回転取付部７３を利用して照明取付部材１００の取付穴（図示せず）に取付けすることができる。そして、照明ユニット１を左右どの方向の回転でも照明取付部材１００の取付穴１０１に取付けできる。
【符号の説明】
【００４８】
１  照明ユニット
２  光源
３  回路体
１０  ハウジング
５１ａ  閉塞プレート部の上面（突き当て面）
５３，７３  回転取付部
５４，７４  挿入突部
５５，７５  周縁壁部
５６，７６  係止爪部
５７，７７  突部
７１ａ  回転取付部の上面（突き当て面）
１００  照明取付部材
１０１  取付穴
１０１ｃ  挟持部
【図１】
2018167658.tif 000003
【図２】
2018167658.tif 000004
【図３】
2018167658.tif 000005
【図４】
2018167658.tif 000006
【図５】
2018167658.tif 000007
【図６】
2018167658.tif 000008
【図７】
2018167658.tif 000009
【図８】
2018167658.tif 000010
【図９】
2018167658.tif 000011
【図１０】
2018167658.tif 000012
【図１１】
2018167658.tif 000013
【図１２】
2018167658.tif 000014
【図１３】
2018167658.tif 000015
【図１４】
2018167658.tif 000016